【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
支持基材と、
前記支持基材上に成形され、２つの作用極を有する電極部と、
前記支持基材上に形成され、前記電極部と接続された端子部と、
を少なくとも有するエンドトキシン検出用チップを用いたエンドトキシン測定システムであって、
前記２つの作用電極に略同一電位を印加し、所定時間経過後、一方の電位は前記略同一電位に維持したまま、もう一方の電位を前記略同一電位とは異なる電位を印加する制御部と、を備えることを特徴とするエンドトキシン検出用チップを用いたエンドトキシン測定システム。
【請求項２】
前記２つの作用極が、交互櫛形電極であることを特徴とする請求項１に記載のエンドトキシン検出用チップを用いたエンドトキシン測定システム。
【請求項３】
前記作用極として用いられる櫛形電極の櫛歯部が配置された測定領域内に、Ｃ因子と酸化還元物質が結合したペプチド化合物とを含む試薬が固定化されていることを特徴とする請求項１または請求項２に記載のエンドトキシン検出用チップを用いたエンドトキシン測定システム。
【請求項４】
前記試薬が、前記Ｃ因子、Ｂ因子および凝固酵素前駆体を含有する多段反応用組成物を含むことを特徴とする請求項３に記載のエンドトキシン検出用チップを用いたエンドトキシン測定システム。
【請求項５】
前記異なる電位を印加する直前の電流値を基準とし、前記異なる電位を印加後、所定時間経過後の電流値を求めることを特徴とする請求項１から請求項４までのいずれかの請求項に記載のエンドトキシン検出用チップを用いたエンドトキシン測定システム。
【請求項６】
グラウンド電流を基準とし、前記異なる電位を印加後、所定時間経過後の電流値を求めることを特徴とする請求項１から請求項４までのいずれかの請求項に記載のエンドトキシン検出用チップを用いたエンドトキシン測定システム。
【請求項７】
前記所定時間経過後の電流値が、還元電位側電流値であることを特徴とする請求項５または請求項６に記載のエンドトキシン検出用チップを用いたエンドトキシン測定システム。
【請求項８】
支持基材と、
前記支持基材上に成形され、２つの作用極を有する電極部と、
前記支持基材上に形成され、前記電極部と接続された端子部と、
を少なくとも有するエンドトキシン検出用チップを用いたエンドトキシン濃度の定量方法であって、
前記２つの作用電極に略同一電位を印加する工程、
所定時間経過後、一方の電位は前記略同一電位に維持したまま、もう一方の電位を前記略同一電位とは異なる電位を印加する工程、
を有することを特徴とするエンドトキシン検出用チップを用いたエンドトキシン濃度の定量方法。
【請求項９】
前記異なる電位を印加する直前の電流値を基準とし、前記異なる電位を印加後、所定時間経過後の電流値を求める工程、をさらに有することを特徴とする請求項８に記載のエンドトキシン検出用チップを用いたエンドトキシン濃度の定量方法。
【請求項１０】
グラウンド電流を基準とし、前記異なる電位を印加後、所定時間経過後の電流値を求める工程、をさらに有することを特徴とする請求項８に記載のエンドトキシン検出用チップを用いたエンドトキシン濃度の定量方法。
【手続補正２】
【補正対象書類名】明細書
【補正対象項目名】発明の名称
【補正方法】変更
【補正の内容】
【発明の名称】エンドトキシン測定システム及びエンドトキシン濃度の定量方法
【手続補正３】
【補正対象書類名】明細書
【補正対象項目名】０００１
【補正方法】変更
【補正の内容】
【０００１】
本発明は、例えば、１ＥＵ／Ｌのエンドトキシンを安定的に検出可能なエンドトキシン検出用チップを用いたエンドトキシン測定システム及びエンドトキシン濃度の定量方法に関するものである。
【手続補正４】
【補正対象書類名】明細書
【補正対象項目名】００１２
【補正方法】変更
【補正の内容】
【００１２】
上記目的を達成するために、本発明は、支持基材と、上記支持基材上に成形され、２つの作用極を有する電極部と、上記支持基材上に形成され、上記電極部と接続された端子部と、を少なくとも有するエンドトキシン検出用チップを用いたエンドトキシン測定システムであって、上記２つの作用電極に略同一電位を印加し、所定時間経過後、一方の電位は上記略同一電位に維持したまま、もう一方の電位を上記略同一電位とは異なる電位を印加する制御部と、を備えることを特徴とするエンドトキシン検出用チップを用いたエンドトキシン測定システムを提供する。
【手続補正５】
【補正対象書類名】明細書
【補正対象項目名】００１３
【補正方法】変更
【補正の内容】
【００１３】
本発明によれば、例えば、１ＥＵ／Ｌのエンドトキシンに由来して出力される電流値を安定的に検出することが可能となる。
【手続補正６】
【補正対象書類名】明細書
【補正対象項目名】００１４
【補正方法】変更
【補正の内容】
【００１４】
本発明においては、上記２つの作用極が、交互櫛形電極であることが好ましい。
【手続補正７】
【補正対象書類名】明細書
【補正対象項目名】００１７
【補正方法】変更
【補正の内容】
【００１７】
本発明においては、上記異なる電位を印加する直前の電流値を基準とし、上記異なる電位を印加後、所定時間経過後の電流値を求めるものであることが好ましい。精度よくエンドトキシンを検出できるからである。
【手続補正８】
【補正対象書類名】明細書
【補正対象項目名】００１８
【補正方法】変更
【補正の内容】
【００１８】
本発明においては、グラウンド電流を基準とし、上記異なる電位を印加後、所定時間経過後の電流値を求めるものであることが好ましい。精度よくエンドトキシンを検出できるからである。
【手続補正９】
【補正対象書類名】明細書
【補正対象項目名】００１９
【補正方法】変更
【補正の内容】
【００１９】
本発明においては、上記所定時間経過後の電流値が、還元電位側電流値であることが好ましい。精度よくエンドトキシンを検出できるからである。
【手続補正１０】
【補正対象書類名】明細書
【補正対象項目名】００２０
【補正方法】変更
【補正の内容】
【００２０】
本発明においては、支持基材と、上記支持基材上に成形され、２つの作用極を有する電極部と、上記支持基材上に形成され、上記電極部と接続された端子部と、を少なくとも有するエンドトキシン検出用チップを用いたエンドトキシン濃度の定量方法であって、上記２つの作用電極に略同一電位を印加する工程、所定時間経過後、一方の電位は上記略同一電位に維持したまま、もう一方の電位を上記略同一電位とは異なる電位を印加する工程、を有するエンドトキシン検出用チップを用いたエンドトキシン濃度の定量方法を提供する。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
本発明によれば、上記異なる電位を印加する直前の電流値を基準とし、上記異なる電位を印加後、所定時間経過後の電流値を求める工程、をさらに有するものであることが好ましい。
【手続補正１３】
【補正対象書類名】明細書
【補正対象項目名】００２３
【補正方法】変更
【補正の内容】
【００２３】
本発明においては、グラウンド電流を基準とし、上記異なる電位を印加後、所定時間経過後の電流値を求める工程、をさらに有することが好ましい。精度よくエンドトキシン濃度を定量できるからである。